(57)【要約】【課題】本考案は、組み立てが簡単で折り畳むことでコンパクトに収納可能なコンロを提供する。【解決手段】本考案のコンロ１は、燃料の燃焼によって形成される灰を収納する灰受け部２と、灰受け部２の上方に着脱可能に設けられる燃料受け部３と、燃料受け部３の両端側には回転可能にヒンジ接合される一対の側板部４と、一対の側板部４と係合可能な一対の組み付け板部５と、一対の側板部４と一対の組み付け板部５とが係合されるとき、一対の組み付け板部５によって支持される網部６とを備える。【選択図】図４
0003216170.tif 000002
【実用新案登録請求の範囲】
【請求項１】
折り畳み可能なコンロであって、
燃料の燃焼によって形成される灰を収納する灰受け部と、
前記燃料が載置されるとともに前記灰受け部の上方に着脱可能に設けられる燃料受け部と、
前記燃料受け部の両端側には、前記灰受け部に収納される収納位置と前記灰受け部から起立するように互いに対向する組立位置との間に回転可能にヒンジ接合される一対の側板部と、
前記一対の側板部が前記組立位置に回転されるとき、前記一対の側板部と係合可能であり、かつ、前記一対の側板部が前記収納位置に回転されるとき、前記一対の側板部の下方に収納可能な一対の組み付け板部と、
前記一対の側板部と前記一対の組み付け板部とが係合されるとき、前記一対の組み付け板部によって支持され、かつ、前記一対の側板部が前記収納位置に回転されるとき、前記一対の側板部の下方に収納可能な網部とを備える
ことを特徴とするコンロ。
【請求項２】
前記一対の側板部と前記一対の組み付け板部とが係合されるとき、前記一対の側板部の上端を覆うことが可能であり、かつ、前記一対の側板部が前記収納位置に回転されるとき、前記灰受け部を覆うことが可能な蓋部を備える
ことを特徴とする請求項１に記載のコンロ。
【請求項３】
前記組み付け板部は、上段位置又は前記上段位置よりも下方である下段位置に配置されるように、前記一対の側板部と係合可能に設けられる
ことを特徴とする請求項１に記載のコンロ。
【請求項４】
前記組み付け板部は、上段位置又は前記上段位置よりも下方である下段位置に配置されるように、前記一対の側板部と係合可能に設けられる
ことを特徴とする請求項２に記載のコンロ。
【請求項５】
前記組み付け板部は、
前記上段位置に配置されるとき、前記灰受け部との間に隙間が形成され、
前記下段位置に配置されるとき、前記灰受け部との間に隙間が形成されないように設けられる
ことを特徴とする請求項４に記載のコンロ。
【請求項６】
前記組み付け板部は、
前記上段位置に配置されるとき、前記一対の側板部の上端を覆う前記蓋部との間に隙間が形成されず、
前記下段位置に配置されるとき、前記一対の側板部の上端を覆う前記蓋部との間に隙間が形成されるように設けられる
ことを特徴とする請求項５に記載のコンロ。
【請求項７】
前記組み付け板部は、上方位置に設けられる上方支持部と、前記上方位置よりも下方である下方位置に設けられる下方支持部とを有し、
前記網部は、一対の前記上方支持部又は一対の前記下方支持部によって水平に支持される
ことを特徴とする請求項３から６までのいずれか１項に記載のコンロ。
【請求項８】
前記網部は、前記上段位置に配置される一方の前記組み付け板部における前記下方支持部及び前記下段位置に配置される他方の前記組み付け板部における前記上方支持部によって、水平に支持される
ことを特徴とする請求項７に記載のコンロ。
【請求項９】
前記一対の側板部は、前記灰受け部の両端側寄りの位置に通気孔を有する
ことを特徴とする請求項１から８までのいずれか１項に記載のコンロ。
【考案の詳細な説明】
【技術分野】
【０００１】
本考案は、折り畳み可能なコンロに関する。
【背景技術】
【０００２】
分解組立・洗浄・収納が容易で多種料理への対応ができ、コンパクトで携帯に便利であり、かつ熱変形が生じにくく耐久性に優れた携帯用コンロを提供するために、台座部と燃焼室部とからなり、台座部は、台箱と、燃焼室部を支える台蓋と、台蓋上に搭載される一対の支脚とからなり、燃焼室部は、支脚に搭載される矩形状のロストル盤と、ロストル盤の対向する一対の端縁に固定されるヒンジアセンブリを介して支持される一対の受外板と、受外板のスリット内に一部を差し込んで相互拘束される一対の差外板とからなるコンロが開示されている（特許文献１参照）。
【０００３】
また、卓上でも安全に使用可能で、かつ燃焼効率を向上させ、さらに従来より高い位置でバーベキューを楽しめるようにした折り畳み、組み立て自在なコンロを提供するために、ヒンジ接合された底板部と両側板部とによって形成される本体受部と、この本体受部の両端にヒンジ接合された脚板部とによって折り畳み、組み立て自在に形成されるコンロ本体と、組み立て時にコンロ本体の本体受け部内に間隔をもって取り付ける灰受け体と、通気穴を形成した炭受け体と、コンロ本体の上部に取り付ける網体とによって構成されるコンロが開示されている（特許文献２参照）。
【先行技術文献】
【特許文献】
【０００４】
【特許文献１】特開２０１７―１０４２０８号公報
【特許文献２】特開平７−３２２９５７号公報
【考案の概要】
【考案が解決しようとする課題】
【０００５】
しかしながら、上記特許文献１に記載されるコンロによっては、折り畳める構造ではあるものの、十分コンパクトに折り畳むことができないという課題があった。また、上記特許文献２に記載されるコンロによっては、コンパクトに折り畳むことが可能であるが、組み立て時にコンロを構成する部品を一々ひっくり返す必要があるため、組み立てがとても煩雑という課題があった。
【０００６】
そこで、本考案は、以上の課題に鑑みてなされたものであり、組み立てが簡単で折り畳むことでコンパクトに収納可能なコンロを提供することを目的とする。
【課題を解決するための手段】
【０００７】
（１）上記課題を解決するために、本考案に係るコンロは、折り畳み可能なものであって、燃料の燃焼によって形成される灰を収納する灰受け部と、前記燃料が載置されるとともに前記灰受け部の上方に着脱可能に設けられる燃料受け部と、前記燃料受け部の両端側には、前記灰受け部に収納される収納位置と前記灰受け部から起立するように互いに対向する組立位置との間に回転可能にヒンジ接合される一対の側板部と、前記一対の側板部が前記組立位置に回転されるとき、前記一対の側板部と係合可能であり、かつ、前記一対の側板部が前記収納位置に回転されるとき、前記一対の側板部の下方に収納可能な一対の組み付け板部と、前記一対の側板部と前記一対の組み付け板部とが係合されるとき、前記一対の組み付け板部によって支持され、かつ、前記一対の側板部が前記収納位置に回転されるとき、前記一対の側板部の下方に収納可能な網部とを備えることを特徴とする。
【０００８】
（２）上記構成（１）において、前記一対の側板部と前記一対の組み付け板部とが係合されるとき、前記一対の側板部の上端を覆うことが可能であり、かつ、前記一対の側板部が前記収納位置に回転されるとき、前記灰受け部を覆うことが可能な蓋部を備えてもよい。
【０００９】
（３）上記構成（１）において、前記組み付け板部は、上段位置又は前記上段位置よりも下方である下段位置に配置されるように、前記一対の側板部と係合可能に設けられてもよい。
【００１０】
（４）上記構成（２）において、前記組み付け板部は、上段位置又は前記上段位置よりも下方である下段位置に配置されるように、前記一対の側板部と係合可能に設けられてもよい。
【００１１】
（５）上記構成（４）において、前記組み付け板部は、前記上段位置に配置されるとき、前記灰受け部との間に隙間が形成され、前記下段位置に配置されるとき、前記灰受け部との間に隙間が形成されないように設けられてもよい。
【００１２】
（６）上記構成（５）において、前記組み付け板部は、前記上段位置に配置されるとき、前記一対の側板部の上端を覆う前記蓋部との間に隙間が形成されず、前記下段位置に配置されるとき、前記一対の側板部の上端を覆う前記蓋部との間に隙間が形成されるように設けられてもよい。
【００１３】
（７）上記構成（３）から（６）までのいずれか一つにおいて、前記組み付け板部は、上方位置に設けられる上方支持部と、前記上方位置よりも下方である下方位置に設けられる下方支持部とを有し、前記網部は、一対の前記上方支持部又は一対の前記下方支持部によって水平に支持さてもよい。
【００１４】
（８）上記構成（７）において、前記網部は、前記上段位置に配置される一方の前記組み付け板部における前記下方支持部及び前記下段位置に配置される他方の前記組み付け板部における前記上方支持部によって、水平に支持されてもよい。
【００１５】
（９）上記構成（１）から（８）までのいずれか一つにおいて、前記一対の側板部は、前記灰受け部の両端側寄りの位置に通気孔を有してもよい。
【考案の効果】
【００１６】
本考案によれば、組み立てが簡単で折り畳むことでコンパクトに収納可能なコンロを提供することができる。
【図面の簡単な説明】
【００１７】
【図１】組み立てられた本考案に係る実施形態のコンロを示す斜視図である。
【図２】組み立てられた本考案に係る実施形態のコンロを示す側面図である。
【図３】組み立てられた本考案に係る実施形態のコンロを示す正面図である。
【図４】組み立てられたコンロを折り畳んで収納していく状態変化を示す斜視図、（ａ）蓋部、網部及び燃料受け部を取り外した状態であり、（ｂ）一対の組み付け板部を取り外した状態であり、（ｃ）取り外した網部、燃料受け部及び一対の組み付け板部を灰受け部内に収納し一対の側板部を灰受け部の内側に折り畳む状態であり、（ｄ）蓋部が折り畳まれたコンロを覆う状態である。
【図５】コンロをバーベキューコンロとして使用する状態を示す斜視図である。
【図６】コンロをカバーコンロとして使用する状態を示す一部を切り欠いた斜視図である。
【図７】コンロを焚き火台として使用する状態を示す斜視図である。
【図８】コンロをピザ窯として使用する状態を示す斜視図、（ａ）蓋部がコンロを覆わない状態であり、（ｂ）蓋部がコンロを覆う状態である。
【考案を実施するための形態】
【００１８】
以下、本考案の実施形態について、図面を参照して詳細に説明する。本明細書の実施形態においては、全体を通じて、同一の部材には同一の符号を付している。なお、図中においては、Ｘ軸に沿って延在する方向を左右方向とし、Ｘ軸と直交するＹ軸に沿って延在する方向を前後方向とし、Ｘ軸及びＹ軸の両方と直交するＺ軸に沿って延在する方向を上下方向とする。
【００１９】
図１は、組み立てられた本考案に係る実施形態のコンロ１を示す斜視図であり、図２は、組み立てられた本考案に係る実施形態のコンロ１を示す側面図であり、図３は、組み立てられた本考案に係る実施形態のコンロ１を示す正面図であり、図４は、組み立てられたコンロ１を折り畳んで収納していく状態変化を示す斜視図、（ａ）蓋部７、網部６及び燃料受け部３を取り外した状態であり、（ｂ）一対の組み付け板部５を取り外した状態であり、（ｃ）取り外した網部６、燃料受け部３及び一対の組み付け板部５を灰受け部２内に収納し一対の側板部４を灰受け部２の内側に折り畳む状態であり、（ｄ）蓋部７が折り畳まれたコンロ１を覆う状態である。
【００２０】
（コンロ全体の構造）
図１から図４に示すように、本考案に係る実施形態のコンロ１は、例えば、アルミ、鉄、又はステレンスなどの金属製の材質からなる、折り畳み可能なものであって、燃料の燃焼によって形成される灰を収納する灰受け部２と、灰受け部２の上方に着脱可能に設けられる燃料受け部３と、燃料受け部３の両端側には回転可能にヒンジ接合される一対の側板部４と、一対の側板部４と係合可能な一対の組み付け板部５と、一対の側板部４と一対の組み付け板部５とが係合されるとき、一対の組み付け板部５によって支持される網部６とを備える。
【００２１】
灰受け部２は、矩形状の板材からなるとともに、例えば石炭などからなる燃料の燃焼によって形成される灰を載置収納するベース２１と、ベース２１の外周側から立設される周壁２２とを有している。そして、周壁２２は、前後方向に沿って延在する一対の両端側周壁２２１と、左右方向に沿って延在する一対の前後側周壁２２２とからなっている。
【００２２】
一対の両端側周壁２２１は、一対の側板部４の回転を規制するためのものであり、ベース２１に対し略鉛直となるように設けられることが好ましい。一対の前後側周壁２２２は、その両端の内側（対向側）に一対の側板部４がヒンジ接合されるとともに、その両端の外側（対向側と反対の側）に一対の脚部８が着脱及び回転可能にヒンジ接合されるようになっている。
【００２３】
燃料受け部３は、例えば、石炭などからなる固形燃料を載置するためのものであり、灰受け部２内に収納可能な大きさをなす、外形が矩形状のロストルメッシュ３１と、ロストルメッシュ３１の下方に設けられる複数の支持脚３２とからなっている。燃料受け部３が灰受け部２の上方に取り付けられた状態において、ロストルメッシュ３１とベース２１との間には、支持脚３２を介して、所定の間隙が形成されている。これによって、固形燃料が燃焼することによって形成される灰を、ロストルメッシュ３１からその下方に位置するベース２１に落下させることができる。また、燃料受け部３から固形燃料を落下させない観点から、支持脚３２の高さを周壁２２の高さよりも低くすることが好ましい。
【００２４】
一対の側板部４は、燃料受け部３の両端側に回転可能にヒンジ接合されるものであり、矩形状の板材からなる側板部本体４１と、側板部本体４１の両側縁側に設けられ互いに対向する一対の折曲部４２とを有している。側板部本体４１は、その一端側（燃料受け部３の両端側）寄りの位置に形成される複数の通気孔４１１と、その他端側寄りの位置に回転可能にヒンジ接合される把持部４１２とを有している。複数の通気孔４１１は、前後方向に沿って所定の間隔を空けるように設けられている。
【００２５】
また、一対の側板部４は、一対の折曲部４２の一端が燃料受け部３の端側にヒンジ接合されることによって、灰受け部２に重なり合って収納される収納位置と灰受け部２から起立するように互いに対向する組立位置との間に回転可能となっている。一対の側板部４が組立位置に回転されると、一対の側板部本体４１が、それぞれ一対の両端側周壁２２１に当接するため、一対の側板部４の回転は、一対の両端側周壁２２１によって規制されることになっている。
【００２６】
折曲部４２は、一対の側板部４が組立位置に回転された状態において、上下方向に沿って所定の間隔を空けるように形成される係合孔４２１（係合手段）を３つ有している。すなわち、係合孔４２１は、上方に形成される上方係合孔４２１ａと、下方に形成される下方係合孔４２１ｃと、上方係合孔４２１ａ及び下方係合孔４２１ｃの間に形成される中央係合孔４２１ｂとからなっている。
【００２７】
一対の組み付け板部５は、灰受け部２内に収納可能な大きさをなす矩形状の板材からなる組み付け板部本体５１と、組み付け板部本体５１の一面側における四隅に設けられる４つの係合片５２（係合手段）と、組み付け板部本体５１の他面側に設けられる支持部５３（支持手段）とを有している。なお、係合片５２は、上方に形成される一対の上方係合片５２ａと、下方に形成される一対の下方係合片５２ｂとからなっている。
【００２８】
ここで、一対の側板部４と一対の組み付け板部５とが、係合片５２を係合孔４２１に差し込むことによって係合されている。また、本実施形態では、係合片５２は、組み付け板部本体５１の一面側における四隅に切り込みを入れることによって形成されているが、これに限定されるものではなく、例えば、組み付け板部本体５１の一面側における四隅に別体として取り付けられてもよい。
【００２９】
そして、一対の上方係合片５２ａ及び一対の下方係合片５２ｂが、それぞれ一対の上方係合孔４２１ａ及び一対の中央係合孔４２１ｂに差し込まれると、組み付け板部５が上段位置に配置され、この状態において、組み付け板部５と灰受け部２との間には、隙間が形成されている。一方、一対の上方係合片５２ａ及び一対の下方係合片５２ｂが、それぞれ一対の中央係合孔４２１ｂ及び一対の下方係合孔４２１ｃに差し込まれると、組み付け板部５が上段位置よりも下方である下段位置に配置され、この状態において、組み付け板部５と灰受け部２との間には、隙間が形成されていない。
【００３０】
また、支持部５３は、一対の側板部４と一対の組み付け板部５とが係合されるとき、網部６を支持するためのものであり、水平方向（左右方向）に沿って延在するように組み付け板部本体５１の他面側（一対の組み付け板部本体５１が対向する面側）における上端側寄りの位置（上方位置）に設けられる上方支持部５３１と、水平方向（左右方向）に沿って延在するように組み付け板部本体５１の他面側（一対の組み付け板部本体５１が対向する面側）における下端側寄りの位置（下方位置）に設けられる下方支持部５３２とからなっている。このように、支持部５３を組み付け板部５に設けることによって、網部６を支持するための支持手段を側板部４に設けなくてもよい。
【００３１】
さらに、一方の組み付け板部５及び他方の組み付け板部５が、それぞれ上段位置及び下段位置に配置されるとき、一方の組み付け板部５における下方支持部５３２及び他方の組み付け板部５における上方支持部５３１は、同一水平面上に形成されるため、網部６を水平に支持することができる（図８（ａ）参照）。なお、網部６は、通気孔４１１よりも上方に位置するように、一方の組み付け板部５における下方支持部５３２及び他方の組み付け板部５における上方支持部５３１によって支持されることが好ましい。
【００３２】
網部６は、灰受け部２内に収納可能な大きさをなす、外形が矩形状のものであり、支持部５３によって支持されることになっている。
【００３３】
また、本考案に係るコンロ１は、更に蓋部７を備えている。蓋部７は、一対の側板部４と一対の組み付け板部５とが係合されるとき（コンロ１が組み立てられた状態）、一対の側板部４の上端を覆うことが可能であり、かつ、一対の側板部４が収納位置に回転されるとき（コンロ１を折り畳んで収納した状態）、灰受け部２を覆うことが可能なものである。
【００３４】
また、蓋部７は、矩形状の板材からなる蓋部本体７１と、蓋部本体７１の外周側に立設される周壁７２とを有している。蓋部本体７１の上面における中央には、回転可能に把持部７１１がヒンジ接合されている。そして、蓋部７は、一対の側板部４と一対の組み付け板部５とが係合されるとき、周壁７２が側板部本体４１を囲むように、一対の側板部４の上端を覆い、一対の側板部４が収納位置に回転されるとき、周壁７２が灰受け部２の周壁２２を囲むように灰受け部２を覆っている。
【００３５】
さらに、蓋部７が一対の側板部４の上端を覆うとともに組み付け板部５が上段位置に配置される場合、蓋部７と組み付け板部５との間には、隙間が形成されていない。一方、蓋部７が一対の側板部４の上端を覆うとともに組み付け板部５が下段位置に配置される場合、蓋部７と組み付け板部５との間には、隙間が形成されている。
【００３６】
（コンロを折り畳んで収納していく状態変化）
以下、組み立てられたコンロ１を折り畳んで収納していく状態変化について、図４（ａ）から図４（ｄ）を参照して詳細に説明する。
【００３７】
図４（ａ）から図４（ｄ）に示すように、まず、組み立てられたコンロ１から、順次に蓋部７、網部６、燃料受け部３及び一対の組み付け板部５を取り外し、その後、取り外された網部６、一対の組み付け板部５及び燃料受け部３を灰受け部２内に収納したうえ、一対の側板部４を交互に重なり合わせるように灰受け部２の内側に折り畳み、その後、蓋部７を一対の側板部４が折り畳まれたコンロ１に被せることによって、コンロ１をコンパクトに収納することができる。
【００３８】
（コンロの各使用状態）
以下、コンロ１の各使用状態について、図５から図８を参照して詳細に説明する。
図５は、コンロ１をバーベキューコンロとして使用する状態を示す斜視図である。図６は、コンロ１をカバーコンロとして使用する状態を示す一部を切り欠いた斜視図である。図７は、コンロ１を焚き火台として使用する状態を示す斜視図である。図８は、コンロ１をピザ窯として使用する状態を示す斜視図、（ａ）蓋部７がコンロ１を覆わない状態であり、（ｂ）蓋部７がコンロ１を覆う状態である。
【００３９】
図５に示すように組み立てられた本考案のコンロ１において、一対の組み付け板部５が共に上段位置に配置されたうえ、網部６が一対の上方支持部５３１によって支持されることになっている（図４参照）。この場合、一対の組み付け板部５と灰受け部２との間には、通気用の隙間が形成されるため、コンロ１をバーベキューコンロとして使用することができる。なお、コンロ１をバーベキューコンロとして使用する場合、蓋部７を使用しない。
【００４０】
また、図６に示すように組み立てられた本考案のコンロ１において、一対の組み付け板部５が共に上段位置に配置されるとともに網部６が一対の下方支持部５３２によって支持されたうえ、一対の側板部４の上端及び一対の組み付け板部５の上端が蓋部７によって覆われることになっている（図４参照）。この場合、一対の組み付け板部５と灰受け部２との間には、通気用の隙間が形成され、かつ、一対の側板部４の上端及び一対の組み付け板部５の上端が蓋部７によって覆われるため、コンロ１をカバーコンロとして使用することができる。
【００４１】
さらに、図７に示すように組み立てられた本考案のコンロ１において、一対の組み付け板部５が共に下段位置に配置されることになっている。この場合、一対の側板部４及び一対の組み付け板部５によって囲まれた空間を、木材などを収納する領域として使用することが可能であるので、コンロ１を焚き火台として使用することができる。なお、コンロ１を焚き火台として使用する場合、網部６及び蓋部７を使用しない。
【００４２】
くわえて、図８に示すように組み立てられた本考案のコンロ１において、一方の組み付け板部５（後方）が上段位置に配置されるとともに他方の組み付け板部５（前方）が下段位置に配置されたうえ、網部６が一方の組み付け板部５における下方支持部５３２及び他方の組み付け板部５における上方支持部５３１によって水平に支持され、一対の側板部４の上端及び一方の組み付け板部５の上端が蓋部７によって覆われることになっている（図４参照）。この場合、一方の組み付け板部５と灰受け部２との間には通気用の隙間が形成されるとともに、他方の組み付け板部５と蓋部７との間には通気用の隙間が形成され、かつ、一対の側板部４の上端及び一方の組み付け板部５の上端が蓋部７によって覆われるため、コンロ１をピザ窯として使用することができる。
【００４３】
本考案のコンロ１は、以上のような様々な使用状態に合わせて組み立てられるので、多用途のコンロとして、その実用性が認められる。
【００４４】
（実施形態の効果）
このように構成される本実施形態のコンロ１によれば、折り畳み可能なものであって、燃料の燃焼によって形成される灰を収納する灰受け部２と、燃料が載置されるとともに灰受け部２の上方に着脱可能に設けられる燃料受け部３と、燃料受け部３の両端側には、灰受け部２に重なり合って収納される収納位置と灰受け部２から起立するように互いに対向する組立位置との間に回転可能にヒンジ接合される一対の側板部４と、一対の側板部４が組立位置に回転されるとき、一対の側板部４と係合可能であり、かつ、一対の側板部４が収納位置に回転されるとき、一対の側板部４の下方に重なり合って収納可能な一対の組み付け板部５と、一対の側板部４と一対の組み付け板部５とが係合されるとき、一対の組み付け板部５によって支持され、かつ、一対の側板部４が収納位置に回転されるとき、一対の側板部４の下方に収納可能な網部６とを備えるので、組み立てが簡単で折り畳むことでコンパクトに収納することができる。
【００４５】
以上、本考案を、実施形態を用いて説明したが、本考案の技術的範囲は上記の実施形態に記載の考案の範囲には限定されないことは言うまでもなく、上記実施形態に、多様な変更又は改良を加えることが可能であることが当業者に明らかである。また、そのような変更又は改良を加えた形態も本考案の技術的範囲に含まれ得ることが、実用新案登録請求の範囲の記載から明らかである。
【００４６】
（変形例）
本実施形態では、係合手段を構成する係合孔４２１及び係合片５２は、それぞれ折曲部４２及び組み付け板部本体５１に設けられているが、これに限定されるものではなく、例えば、それぞれ組み付け板部本体５１及び折曲部４２に設けられてもよい。つまり、係合孔及び係合片が設けられる部品は、入れ替わってもよい。
【００４７】
また、本実施形態では、支持手段を構成する支持部５３は、組み付け板部５のみに設けられているが、これに限定されるものではなく、例えば、側板部４のみに設けられてもよいし、組み付け板部５及び側板部４の両方に設けられてもよい。
【符号の説明】
【００４８】
１              コンロ
２              灰受け部
２１          ベース
２２          周壁
２２１      両端側周壁
２２２      前後側周壁
３              燃料受け部
３１        ロストルメッシュ
３２        支持脚
４              側板部
４１        側端部本体
４１１    通気孔
４１２    把持部
４２        折曲部
４２１    係合孔（係合手段）
４２１ａ  上方係合孔
４２１ｂ  中央係合孔
４２１ｃ  下方係合孔
５              組み付け板部
５１          組み付け板部本体
５２          係合片（係合手段）
５２ａ        上方係合片
５２ｂ        下方係合片
５３          支持部
５３１      上方支持部
５３２      下方支持部
６              網部
７              蓋部
７１          蓋部本体
７１１      把持部
７２          周壁
８              脚部
【図１】
0003216170.tif 000003
【図２】
0003216170.tif 000004
【図３】
0003216170.tif 000005
【図４】
0003216170.tif 000006
【図５】
0003216170.tif 000007
【図６】
0003216170.tif 000008
【図７】
0003216170.tif 000009
【図８】
0003216170.tif 000010